(57)【要約】【課題】ＵＳＢ接続された外部デバイスが認識されずにオーディオ再生ができない場合に、煩雑な操作を行うことなくブルートゥース接続に変更してオーディオ再生を開始することができるオーディオ再生装置を提供すること。【解決手段】オーディオ再生装置１００は、ＵＳＢ接続された外部デバイス２００からオーディオデータを受信してオーディオ再生を行うＵＳＢオーディオ再生部６１と、ブルートゥース接続された外部デバイス２００からオーディオデータを受信してオーディオ再生を行うＢＴオーディオ再生部６２と、ＵＳＢオーディオ再生部６１によるオーディオ再生を行う際に、所定の通信プロトコルに対応した外部デバイス２００を検出できなかったときに、ブルートゥース接続された同一の外部デバイス２００からオーディオデータを受信してＢＴオーディオ再生部６２によるオーディオ再生に切り替える再生方法切替部６５とを備えている。【選択図】図１
2015176408.tif 000002
【特許請求の範囲】
【請求項１】
外部デバイスとの間でＵＳＢ形式で通信を行うＵＳＢ通信手段と、前記外部デバイスとの間でブルートゥース規格にしたがった通信を行うブルートゥース通信手段とを有するオーディオ再生装置であって、
前記ＵＳＢ通信手段に接続された前記外部デバイスから、所定の通信プロトコルにしたがってオーディオデータを受信してオーディオ再生を行う第１のオーディオ再生手段と、
前記ブルートゥース通信手段に接続された前記外部デバイスからオーディオデータを受信してオーディオ再生を行う第２のオーディオ再生手段と、
前記第１のオーディオ再生手段によるオーディオ再生を行う際に、前記所定の通信プロトコルに対応した前記外部デバイスを検出できなかったときに、前記ブルートゥース通信手段を介して前記外部デバイスからオーディオデータを受信して前記第２のオーディオ再生手段によるオーディオ再生に切り替える再生方法切替手段と、
を備えることを特徴とするオーディオ再生装置。
【請求項２】
請求項１において、
前記再生方法切替手段による切り替えを行う際に、前記ＵＳＢ通信手段に接続された前記外部デバイスを指定して前記ブルートゥース通信手段に接続するために必要なデバイス情報を格納するデバイス情報格納手段をさらに備えることを特徴とするオーディオ再生装置。
【請求項３】
請求項２において、
前記デバイス情報は、ブルートゥース方式のペアリング設定時に取得することを特徴とするオーディオ再生装置。
【請求項４】
請求項３において、
前記デバイス情報として、前記ペアリング設定時に取得される前記外部デバイスのＢＤアドレスおよびＣｏＤ情報と、前記ＵＳＢ通信手段を介した接続時に取得されるベンダーＩＤおよびプロダクトＩＤとが対応付けられて前記デバイス情報格納手段に格納されていることを特徴とするオーディオ再生装置。
【請求項５】
請求項４において、
前記ペアリング設定時に、このペアリング設定の対象となった前記外部デバイスを前記ＵＳＢ通信手段を介して接続することにより、前記ＢＤアドレスおよび前記ＣｏＤ情報と前記ベンダーＩＤおよび前記プロダクトＩＤとの対応付けが行われることを特徴とするオーディオ再生装置。
【請求項６】
請求項１〜５のいずれか一項において、
前記再生方法切替手段による切り替えを行う前に、利用者に対して切替実施の有無を確認する切替確認手段をさらに備え、
前記再生方法切替手段は、前記切替確認手段による確認動作に対して利用者による切替実施の指示がなされた後に切り替えを行うことを特徴とするオーディオ再生装置。
【請求項７】
請求項１〜６のいずれか一項において、
前記所定の通信プロトコルは、ＭＳＣプロトコルであることを特徴とするオーディオ再生装置。
【請求項８】
請求項１〜７のいずれか一項において、
前記第１のオーディオ再生手段は、前記外部デバイスから読み出されたオーディオデータを受信してオーディオ再生を行い、
前記第２のオーディオ再生手段は、前記外部デバイスに格納されたオーディオデータを読み出してストリーミング形式に変換したデータを受信してオーディオ再生を行うことを特徴とするオーディオ再生装置。
【請求項９】
外部デバイスとの間でＵＳＢ形式で通信を行うＵＳＢ通信手段を有するオーディオ再生装置であって、
前記ＵＳＢ通信手段に接続された前記外部デバイスから、所定の通信プロトコルにしたがってオーディオデータを受信してオーディオ再生を行う第１のオーディオ再生手段と、
前記第１のオーディオ再生手段によるオーディオ再生を行う際に、前記所定の通信プロトコルに対応した前記外部デバイスを検出できなかったときに、前記外部デバイスの設定プロトコルを前記所定の通信プロトコルに変更するよう警告するプロトコル変更警告手段と、
をさらに備えることを特徴とするオーディオ再生装置。
【請求項１０】
請求項９において、
前記所定の通信プロトコルは、ＭＳＣプロトコルであることを特徴とするオーディオ再生装置。
【発明の詳細な説明】
【技術分野】
【０００１】
本発明は、ＵＳＢ（Universal Serial Bus）接続とブルートゥース（Bluetooth、登録商標）接続が行われた外部装置からオーディオデータを取得して再生を行うオーディオ再生装置に関する。
【背景技術】
【０００２】
従来から、オーディオ端末装置やスマートフォンと称される携帯端末装置等の外部デバイスとＵＳＢ接続し、この外部デバイスに記憶されているオーディオデータを読み出してオーディオ再生を行うようにした車載のオーディオ再生装置が知られている。この場合のオーディオデータは、ＭＳＣ（マスストレージクラス）という通信プロトコルを用いて送受信する方法が一般には用いられる。
【０００３】
また、最近の外部デバイスの中には、ＵＳＢ接続を行った際にＭＳＣ以外の通信プロトコル、例えばＭＴＰ（メディアトランスファープロトコル）やメーカの独自プロトコルで通信を行って所望の動作を行うものがある。
【０００４】
さらに、上述した外部デバイスの中には、ＵＳＢ接続以外にブルートゥース接続が可能なものがあり、ブルートゥース規格にしたがった通信方式により、これらの外部デバイスからストリーミング形式で送られてくるオーディオデータをオーディオ再生装置で受信してオーディオ再生するものもある。
【０００５】
なお、ＵＳＢ接続とブルートゥース接続の両方が可能であって、いずれかの接続方法を用いて外部の複数の機器を接続するとともに適宜接続切替を行うようにした情報処理装置が知られている（例えば、特許文献１参照。）。
【先行技術文献】
【特許文献】
【０００６】
【特許文献１】特開２００７−７２７９２号公報
【発明の概要】
【発明が解決しようとする課題】
【０００７】
ところで、上述したように外部デバイスがＵＳＢ接続されたオーディオ再生装置でオーディオ再生を行う場合であって、このオーディオ再生装置がＭＳＣによるオーディオデータの通信を想定している場合に、外部デバイスのＵＳＢ設定（プロトコル設定）がＭＴＰや独自プロトコルになっていると、オーディオ再生装置はこの外部デバイスを認識することができない。
【０００８】
この場合には、外部デバイスとオーディオ再生装置との間をブルートゥース接続することが可能であれば、ＵＳＢ接続からブルートゥース接続に変更することで、外部デバイスに蓄積された共通のオーディオソースに基づく再生動作を実施することが可能になる。しかし、このような接続変更によるオーディオ再生について熟知していない利用者は、外部デバイスが認識されない時点でオーディオ再生を断念する場合がほとんどであり、このような利用者であっても接続変更を行ってオーディオ再生を実現する手法が望まれている。また、接続変更を行うことによりブルートゥース接続によるオーディオ再生が可能であることを利用者が知っている場合であっても、ＵＳＢ接続時に認識できなかった外部デバイスを特定した後にオーディオ再生を指示するなどの操作を行う必要があり、操作が煩雑であった。
【０００９】
あるいは、外部デバイスのＵＳＢ設定をＭＴＰあるいは独自プロトコルからＭＳＣに変更すればオーディオ再生を行うことが可能であるが、このようなＵＳＢ設定変更によりオーディオ再生が可能になることを知らない利用者は、外部デバイスが認識されない時点でオーディオ再生を断念する場合がほとんどであり、このような利用者であってもＵＳＢ設定を変更してオーディオ再生を実現する手法が望まれている。
【００１０】
なお、上述した特許文献１に開示された情報処理装置では、キーボードやマウス等の機器を接続対象として想定し、これらの機器に対する接続方法をＵＳＢ接続あるいはブルートゥース接続に適宜切り替えるものであり、これをそのまま適用しても、異なる通信プロトコルが設定された外部デバイスを認識してオーディオ再生ができるようにはならない。
【００１１】
本発明は、このような点に鑑みて創作されたものであり、その目的は、ＵＳＢ接続された外部デバイスが認識されずにオーディオ再生ができない場合に、煩雑な操作を行うことなくブルートゥース接続に変更してオーディオ再生を開始することができるオーディオ再生装置を提供することにある。
【００１２】
また、本発明の他の目的は、ＵＳＢ接続された外部デバイスが認識されずにオーディオ再生ができない場合に、ＵＳＢ設定の変更を促すことでオーディオ再生を開始することができるオーディオ再生装置を提供することにある。
【課題を解決するための手段】
【００１３】
上述した課題を解決するために、本発明のオーディオ再生装置は、外部デバイスとの間でＵＳＢ形式で通信を行うＵＳＢ通信手段と、外部デバイスとの間でブルートゥース規格にしたがった通信を行うブルートゥース通信手段とを有するオーディオ再生装置であって、ＵＳＢ通信手段に接続された外部デバイスから、所定の通信プロトコルにしたがってオーディオデータを受信してオーディオ再生を行う第１のオーディオ再生手段と、ブルートゥース通信手段に接続された外部デバイスからオーディオデータを受信してオーディオ再生を行う第２のオーディオ再生手段と、第１のオーディオ再生手段によるオーディオ再生を行う際に、所定の通信プロトコルに対応した外部デバイスを検出できなかったときに、ブルートゥース通信手段を介して外部デバイスからオーディオデータを受信して第２のオーディオ再生手段によるオーディオ再生に切り替える再生方法切替手段とを備えている。
【００１４】
オーディオ再生を指示した際に、通信プロトコルの設定が異なるためにＵＳＢ接続された外部デバイスが認識できない場合であっても、ブルートゥース接続に切り替えてオーディオ再生を行うことが可能になり、このようなオーディオ再生を行うために必要な煩雑な操作が不要となる。
【００１５】
また、上述した再生方法切替手段による切り替えを行う際に、ＵＳＢ通信手段に接続された外部デバイスを指定してブルートゥース通信手段に接続するために必要なデバイス情報を格納するデバイス情報格納手段をさらに備えることが望ましい。このようなデバイス情報を用いることにより、切り替え後もＵＳＢ接続の場合と同じ外部デバイスに格納されているオーディオデータを用いたオーディオ再生が可能となる。
【００１６】
また、上述したデバイス情報は、ブルートゥース方式のペアリング設定時に取得することが望ましい。これにより、外部デバイスとオーディオ再生装置とを関連づけた際に同時にデバイス情報を取得することが可能となり、デバイス情報取得の手間を低減することができる。
【００１７】
また、上述したデバイス情報として、ペアリング設定時に取得される外部デバイスのＢＤアドレスおよびＣｏＤ情報と、ＵＳＢ通信手段を介した接続時に取得されるベンダーＩＤおよびプロダクトＩＤとが対応付けられてデバイス情報格納手段に格納されていることが望ましい。これらの情報をデバイス情報として用いることにより、共通の外部デバイスを特定することが可能となる。
【００１８】
また、上述したペアリング設定時に、このペアリング設定の対象となった外部デバイスをＵＳＢ通信手段を介して接続することにより、ＢＤアドレスおよびＣｏＤ情報とベンダーＩＤおよびプロダクトＩＤとの対応付けが行われることが望ましい。ペアリング設定時に同じ外部デバイスを用いてＵＳＢ接続を行うことにより、ＵＳＢ接続された外部デバイスとブルートゥース接続された外部デバイスが同じであるかどうかを確実に知ることができる。
【００１９】
また、上述した再生方法切替手段による切り替えを行う前に、利用者に対して切替実施の有無を確認する切替確認手段をさらに備え、再生方法切替手段は、切替確認手段による確認動作に対して利用者による切替実施の指示がなされた後に切り替えを行うことが望ましい。これにより、品質が異なるＵＳＢオーディオからブルートゥースオーディオへの切り替えに際して、事前に利用者による承認を得ることが可能となり、利用者が品質の違いを理解した上でオーディオ再生を開始することができる。
【００２０】
また、上述した所定の通信プロトコルは、ＭＳＣプロトコルであることが望ましい。従来から広く用いられているＭＳＣプロトコルをデフォルトの設定プロトコルとすることにより、通信プロトコルの設定が異なることにより外部デバイスが認識できない事態を極力回避することができる。
【００２１】
また、上述した第１のオーディオ再生手段は、外部デバイスから読み出されたオーディオデータを受信してオーディオ再生を行い、第２のオーディオ再生手段は、外部デバイスに格納されたオーディオデータを読み出してストリーミング形式に変換したデータを受信してオーディオ再生を行うことが望ましい。これにより、品質が良好なＵＳＢ接続によるオーディオ再生を優先させ、この再生ができない場合に代替手段としてのブルートゥース接続によるオーディオ再生を行うことが可能となる。
【００２２】
本発明のオーディオ再生装置は、外部デバイスとの間でＵＳＢ形式で通信を行うＵＳＢ通信手段を有するオーディオ再生装置であって、ＵＳＢ通信手段に接続された外部デバイスから、所定の通信プロトコルにしたがってオーディオデータを受信してオーディオ再生を行う第１のオーディオ再生手段と、第１のオーディオ再生手段によるオーディオ再生を行う際に、所定の通信プロトコルに対応した外部デバイスを検出できなかったときに、外部デバイスの設定プロトコルを所定の通信プロトコルに変更するよう警告するプロトコル変更警告手段とをさらに備えている。
【００２３】
これにより、異なる通信プロトコルが設定されているために外部デバイスを認識できずオーディオ再生を開始できない場合に、通信プロトコルの変更を促すことでオーディオ再生を開始することが可能となる。また、接続方式を変更する場合に比べて、本来のオーディオ品質でオーディオ再生を行うことが可能となり、オーディオ品質の低下を防止することができる。
【００２４】
また、上述した所定の通信プロトコルは、ＭＳＣプロトコルであることが望ましい。従来から広く用いられているＭＳＣプロトコルをデフォルトの設定プロトコルとすることにより、通信プロトコルの設定が異なることにより外部デバイスが認識できない事態を極力回避することができる。
【図面の簡単な説明】
【００２５】
【図１】一実施形態のオーディオ再生装置の構成を示す図である。
【図２】ブルートゥースのペアリング設定に合わせて行われるデバイス情報取得の動作手順を示す流れ図である。
【図３】ペアリングを行った外部デバイスに対するＵＳＢ接続を促す表示例を示す図である。
【図４】ＵＳＢオーディオの再生に失敗した場合にＢＴオーディオの再生に切り替える動作手順を示す流れ図である。
【図５】ＵＳＢオーディオからＢＴオーディオに切り替える際に利用者に対して確認を行う変形例を示す流れ図である。
【図６】切替確認画面の表示例を示す図である。
【図７】接続失敗通知画面の表示例を示す図である。
【図８】ＵＳＢオーディオの再生に失敗した後に必要に応じてペアリングを行う変形例を示す流れ図である。
【図９】ペアリング確認画面の表示例を示す図である。
【図１０】ＵＳＢオーディオの再生に失敗した後に通信プロトコルの設定変更を促すようにした動作手順を示す流れ図である。
【図１１】プロトコル変更を促す警告画面の表示例を示す図である。
【発明を実施するための形態】
【００２６】
以下、本発明を適用した一実施形態のオーディオ再生装置について、図面を参照しながら説明する。図１は、一実施形態のオーディオ再生装置の構成を示す図である。図１に示すように、オーディオ再生装置１００は、操作部１０、タッチパネル１２、入力制御部１４、表示処理部２０、表示装置２２、デジタル−アナログ変換器（Ｄ／Ａ）３０、スピーカ３２、ＢＴ（ブルートゥース）ユニット４０、ＵＳＢユニット５０、制御部６０を備えている。
【００２７】
このオーディオ再生装置１００は、ＵＳＢ接続およびブルートゥース接続された外部デバイス２００と連携してオーディオ再生を行うものであり、車両に搭載されている。但し、必ずしも車両に搭載されたものに限定されず、室内に設置されたものであってもよい。
【００２８】
また、外部デバイス２００としては、スマートフォンと称される携帯端末装置や、携帯情報端末（ＰＤＡ、Personal Digital Assistants）、携帯オーディオ機器などが想定されており、ＵＳＢ接続とブルートゥース接続の両方がサポートされている必要がある。
【００２９】
操作部１０は、オーディオ再生装置１００に対する利用者による操作を受け付けるためのものであり、表示装置２２の周囲に配置された各種の操作キー、操作スイッチ、操作つまみ等を含んで構成されている。また、表示装置２２に各種の操作画面や入力画面が表示された時点で、これらの操作画面や入力画面の一部を利用者が指などで直接指し示すことにより、操作画面や入力画面の表示項目を選択することができるようになっており、このような操作画面や入力画面を用いた操作を可能とするために、指し示された指などの位置を検出するタッチパネル１２が備わっている。なお、タッチパネルを用いる代わりに、リモートコントロールユニット等を用いて操作画面や入力画面の一部を利用者の指示に応じて選択するようにしてもよい。入力制御部１４は、操作部１０やタッチパネル１２を監視しており、それらの操作内容を決定する。
【００３０】
表示処理部２０は、各種の操作画面や入力画面等を表示する映像信号を出力して表示装置２２にこれらの画面を表示する。表示装置２２は、運転席と助手席の中央前方に設置されており、例えば液晶表示装置（ＬＣＤ）を用いて構成されている。
【００３１】
デジタル−アナログ変換器３０は、オーディオ再生に伴って生成されるオーディオデータをアナログのオーディオ信号に変換してスピーカ３２から出力する。なお、実際には、デジタル−アナログ変換器３０とスピーカ３２の間には信号を増幅する増幅器が接続されているが、図１ではこの増幅器は省略されている。また、デジタル−アナログ変換器３０とスピーカ３２との組合せは再生チャンネル数分備わっているが、図１では一組のみが図示されている。
【００３２】
ＢＴユニット４０は、ブルートゥース規格にしたがってオーディオ再生装置１００と外部デバイス２００との間でオーディオデータ等の送受信を行う通信装置（ブルートゥース機器）である。このＢＴユニット４０には、無線通信に必要なハードウェアと、このハードウェアを制御してペアリング設定や無線接続を行うために必要な各種の処理部が含まれる。外部デバイス２００の検出やブルートゥースを用いた無線接続に必要な各種の処理はこのＢＴユニット４０によって行われる。ＵＳＢユニット５０は、外部デバイス２００との間でＵＳＢ形式で信号の入出力（通信）を行うためのものであり、ＵＳＢポートやＵＳＢホストコントローラが含まれる。
【００３３】
制御部６０は、オーディオ再生装置１００の全体を制御してオーディオ再生に関する各種処理を行うためのものであり、ＲＯＭやＲＡＭなどに格納された所定のアプリケーション（プログラム）をＣＰＵで実行することにより各種処理が実現される。この制御部６０は、ＵＳＢオーディオ再生部６１、ＢＴオーディオ再生部６２、デバイス情報取得部６３、デバイス情報格納部６４、再生方法切替部６５、切替確認部６６、プロトコル変更警告部６７、ＢＴ処理部６８を有する。
【００３４】
ＵＳＢオーディオ再生部６１は、ＵＳＢユニット５０に接続された外部デバイス２００から、所定の通信プロトコルにしたがってオーディオデータを受信してオーディオ再生を行う。本実施形態では、所定の通信プログラムとしてＭＳＣ（Mass Storage Class）プロトコルを用いることが想定されている。このＭＳＣは、接続されたＵＳＢ機器（外部デバイス）を記憶装置として認識して制御するためのものである。
【００３５】
ＢＴオーディオ再生部６２は、ＢＴユニット４０に接続された外部デバイス２００からオーディオデータを受信してオーディオ再生を行う。なお、以下では、「ＵＳＢオーディオ」の用語は、ＵＳＢオーディオ再生部６１によるオーディオ再生に対応して広く使用する場合があり、「ＢＴオーディオ」の用語は、ＢＴオーディオ再生部６２によるオーディオ再生に対応して広く使用する場合がある。
【００３６】
再生方法切替部６５は、ＵＳＢオーディオ再生部６１によるオーディオ再生を行う際に、ＭＳＣプロトコルに対応した外部デバイス２００を検出できなかったときに、ＢＴユニット４０を介して外部デバイス２００からオーディオデータを受信してＢＴオーディオ再生部６２によるオーディオ再生に切り替える。
【００３７】
デバイス情報格納部６４は、再生方法切替部６５によるオーディオ再生の切り替えを行う際に、ＵＳＢユニット５０に接続された外部デバイス２００を指定してＢＴユニット４０に接続するために必要なデバイス情報を格納する。このデバイス情報は、ブルートゥース方式のペアリング設定時に取得される。具体的には、デバイス情報として、ペアリング設定時に取得される外部デバイス２００のＢＤ（Bluetooth Device）アドレスおよびＣｏＤ（Class of Device）情報と、同じ外部デバイス２００がＵＳＢユニット５０を介して接続されたときに取得されるベンダー（Vendor）ＩＤおよびプロダクト（Product）ＩＤとが対応付けられてデバイス情報格納部６４に格納される。
【００３８】
デバイス情報取得部６３は、ペアリング設定時に上述したデバイス情報を取得する。例えば、ペアリング設定時に、このペアリング設定の対象となった外部デバイス２００をＵＳＢユニット５０を介して接続することにより、ＢＤアドレスおよびＣｏＤ情報とベンダーＩＤおよびプロダクトＩＤとの対応付けが行われる。
【００３９】
切替確認部６６は、再生方法切替部６５による切り替えを行う前に、利用者に対して切替実施の有無を確認する。この切替確認部６６による確認動作に対して利用者による切替実施の指示がなされた後に、再生方法切替部６５による切り替えが行われる。
【００４０】
プロトコル変更警告部６７は、ＵＳＢオーディオ再生部６１によるオーディオ再生を行う際に、ＭＳＣプロトコルに対応した外部デバイス２００を検出できなかったときに、外部デバイス２００の設定プロトコルをＭＳＣプロトコルに変更するよう警告する。
【００４１】
ＢＴ処理部６８は、外部デバイス２００等との間でペアリング設定を行う際に必要な処理を行う。例えば、外部デバイス２００との間でペアリング設定を行う際に、ペアリング設定開始をＢＴユニット４０に指示したり、外部デバイス２００に割り当てられたパスコードを指定する処理などがＢＴ処理部６８によって行われる。
【００４２】
上述したＵＳＢユニット５０がＵＳＢ通信手段に、ＢＴユニット４０がブルートゥース通信手段に、ＵＳＢオーディオ再生部６１が第１のオーディオ再生手段に、ＢＴオーディオ再生部６２が第２のオーディオ再生手段に、再生方法切替部６５が再生方法切替手段に、デバイス情報格納部６４がデバイス情報格納手段にそれぞれ対応する。また、切替確認部６６が切替確認手段に、プロトコル変更警告部６７がプロトコル変更警告手段にそれぞれ対応する。
【００４３】
本実施形態のオーディオ再生装置１００はこのような構成を有しており、ＵＳＢオーディオの再生に失敗した場合にＢＴオーディオの再生に切り替える動作について説明する。
【００４４】
図２は、ブルートゥースのペアリング設定に合わせて行われるデバイス情報取得の動作手順を示す流れ図である。この動作手順は、ＵＳＢオーディオからＢＴオーディオに切り替える動作を実施する前に行う必要がある。
【００４５】
利用者の操作に応じてＢＴ処理部６８からＢＴユニット４０に対してペアリング設定動作の開始が指示されると、ＢＴ処理部６８は、ＢＴユニット４０によって周辺検索を行って（ステップ１００）、ブルートゥースの通信可能範囲に存在する外部デバイス２００を検出する（ステップ１０２）。次に、ＢＴ処理部６８は、ペアリング設定を行う（ステップ１０４）。
【００４６】
また、デバイス情報取得部６３は、外部デバイス２００からＢＴユニット４０経由でデバイス情報Ａ（ＢＤアドレス、ＣｏＤ情報）を取得する（ステップ１０６）。次に、デバイス情報取得部６３は、ペアリング設定を行った外部デバイス２００に対するＵＳＢ接続を促す（ステップ１０８）。例えば、図３に示すように、「ペアリングしたスマートフォンのＵＳＢ  ＩＤを取得します。ＵＳＢ接続して下さい。」等のＵＳＢ接続を促すメッセージが表示される。
【００４７】
次に、デバイス情報取得部６４は、ＵＳＢユニット５０を監視し、ＵＳＢユニット５０に外部デバイス２００が接続されたか否かを判定する（ステップ１１０）。接続されない場合には否定判断が行われ、この判定が繰り返される。また、外部デバイス２００が接続されるとステップ１１０の判定において肯定判断が行われる。
【００４８】
次に、デバイス情報取得部６３は、外部デバイス２００からＵＳＢユニット５０経由でデバイス情報Ｂ（ベンダーＩＤ（ＶＩＤ）、プロダクトＩＤ（ＰＩＤ））を取得する（ステップ１１２）。その後、デバイス情報取得部６３は、ステップ１０６で取得したデバイス情報Ａとステップ１１２で取得したデバイス情報Ｂを関連づけて（対応させて）、外部デバイス２００に対応するデバイス情報としてデバイス情報格納部６４に格納する。
【００４９】
図４は、ＵＳＢオーディオの再生に失敗した場合にＢＴオーディオの再生に切り替える動作手順を示す流れ図である。ＵＳＢオーディオ再生部６１は、利用者によってＵＳＢオーディオの再生が指示されたか否かを判定する（ステップ２００）。例えば、使用者は、操作画面に含まれるＵＳＢオーディオのアイコンを指し示すことにより、あるいは、ＵＳＢオーディオ用に割り当てられた特定の操作キーを押下することにより、ＵＳＢオーディオの再生を指示することができる。利用者によるＵＳＢオーディオの再生指示がなされない場合にはステップ２００の判定において否定判断が行われ、この判定が繰り返される。
【００５０】
また、利用者によるＵＳＢオーディオの再生指示がなされた場合にはステップ２００の判定において肯定判断が行われる。次に、ＵＳＢオーディオ再生部６１は、通信プロトコルがＭＳＣに設定された外部デバイス２００がＵＳＢ接続されているか否かを判定する（ステップ２０２）。接続されている場合には肯定判断が行われ、ＵＳＢオーディオ再生部６１は、外部デバイス２００に格納されたオーディオデータをＭＳＣプロトコルを用いて読み出してオーディオ再生を行う（ステップ２０４）。
【００５１】
一方、通信プロトコルがＭＳＣに設定された外部デバイス２００がＵＳＢ接続されていない場合にはステップ２０２の判定において否定判断が行われる。この場合には、再生方法切替部６５は、ＢＴオーディオ再生部６２に指示を送って、ＵＳＢオーディオからＢＴオーディオ再生部６２によるＢＴオーディオの再生動作に自動的に切り替える（ステップ２０６）。なお、本実施形態では、外部デバイス２００がＵＳＢ接続されているが、この外部デバイス２００の通信プロトコルがＭＳＣに設定されていない場合を想定しており、この外部デバイス２００がＵＳＢ接続された時点でこの外部デバイス２００の識別が行われる。このため、この外部デバイス２００を特定してブルートゥースの接続先として指定することが可能となる。
【００５２】
次に、ＢＴオーディオ再生部６２は、外部デバイス２００がブルートゥース接続されているか否かを判定する（ステップ２０８）。接続されている場合には肯定判断が行われ、ＢＴオーディオ再生部６２は、外部デバイス２００から送信されるストリーミング形式のオーディオデータを受信してオーディオ再生を行う（ステップ２１０）。接続されていない場合には否定判断がなされ、ステップ２０８の判断を繰り返す。
【００５３】
なお、ＢＴオーディオであってもＵＳＢオーディオであっても外部デバイス２００に格納されているオーディオデータを用いる点で代わりはないが、ＢＴオーディオの場合には外部デバイス２００内でファイル形式で格納されたオーディオデータをストリーミング形式に変換してオーディオ再生装置１００に送られる。このため、一般には、ＵＳＢオーディオに対してＢＴオーディオは品質が低下する。
【００５４】
このように、本実施形態のオーディオ再生装置１００では、ＵＳＢオーディオの再生が指示された際に、通信プロトコルの設定（ＭＳＣ）が異なるためにＵＳＢ接続された外部デバイス２００が認識できない場合であっても、ブルートゥース接続に切り替えてＢＴオーディオの再生を行うことが可能になり、このような再生方法の切り替えを伴うオーディオ再生を行うために必要な煩雑な操作が不要となる。
【００５５】
また、デバイス情報格納部６４には、再生方法の切り替えを行う際に、ＵＳＢユニット５０に接続された外部デバイス２００を指定してＢＴユニット４０に接続するために必要なデバイス情報が格納されている。このようなデバイス情報を用いることにより、切り替え後もＵＳＢ接続の場合と同じ外部デバイス２００に格納されているオーディオデータを用いたオーディオ再生が可能となる。
【００５６】
また、このデバイス情報は、ブルートゥース方式のペアリング設定時に取得している。これにより、ペアリング設定によって外部デバイス２００とオーディオ再生装置１００とを関連づけた際に同時にデバイス情報を取得することが可能となり、デバイス情報取得の手間を低減することができる。
【００５７】
また、このデバイス情報として、ペアリング設定時に取得される外部デバイス２００のＢＤアドレスおよびＣｏＤ情報と、ＵＳＢユニット５０を介した接続時に取得されるベンダーＩＤおよびプロダクトＩＤとが対応付けられてデバイス情報格納部６４に格納されている。これらの情報をデバイス情報として用いることにより、共通の外部デバイス２００を特定することが可能となる。
【００５８】
また、ペアリング設定時に、このペアリング設定の対象となった外部デバイス２００をＵＳＢユニット５０を介して接続することにより、ＢＤアドレスおよびＣｏＤ情報とベンダーＩＤおよびプロダクトＩＤとの対応付けが行われている。ペアリング設定時に同じ外部デバイス２００を用いてＵＳＢ接続を行うことにより、ＵＳＢ接続された外部デバイス２００とブルートゥース接続された外部デバイス２００が同じであるかどうかを確実に知ることができる。
【００５９】
また、ＵＳＢ接続を行う際の通信プロトコルとしてＭＳＣプロトコルが用いられている。従来から広く用いられているＭＳＣプロトコルをデフォルトの設定プロトコルとすることにより、通信プロトコルの設定が異なることにより外部デバイス２００が認識できない事態を極力回避することができる。
【００６０】
ところで、図４に示した流れ図では、ＵＳＢオーディオからＢＴオーディオに利用者に対する確認なしに切り替えるようにしたが、この切り替えの際に、利用者に対して切替実施の有無を確認するようにしてもよい。
【００６１】
図５は、ＵＳＢオーディオからＢＴオーディオに切り替える際に利用者に対して確認を行う変形例を示す流れ図である。図５に示す動作手順は、図４に示す動作手順に対して、ステップ２０２とステップ２０６の間にステップ３００、３０２、３０４が追加されている点が異なっている。以下では、これらの追加された各ステップに着目して説明を行うものとする。
【００６２】
通信プロトコルがＭＳＣに設定された外部デバイス２００がＵＳＢ接続されておらず、ステップ２０２の判定において否定判断が行われると、次に、切替確認部６６は、利用者に切り替えの同意を得るための切替確認画面を作成して表示装置２２に表示する（ステップ３００）。
【００６３】
図６は、切替確認画面の表示例を示す図である。この切替確認画面には、「ＢＴオーディオに切り替えて再生しますか？」等の文字列とともに、「ＹＥＳ」ボタンと「ＮＯ」ボタンが含まれる。
【００６４】
次に、切替確認部６６は、利用者によって切り替えが了承されたか否かを判定する（ステップ３０２）。利用者によって切替確認画面内の「ＹＥＳ」ボタンが選択されると肯定判断が行われ、ステップ２０６に移行して、ＵＳＢオーディオからＢＴオーディオ再生部６２によるＢＴオーディオの再生動作に自動的に切り替えられる。
【００６５】
また、利用者によって切替確認画面内の「ＮＯ」ボタンが選択されるとステップ３０２の判定において否定判断が行われる。次に、切替確認部６６（あるいは、再生方法切替部６５やＵＳＢオーディオ再生部６１が行うようにしてもよい）は、通信プロトコルがＭＳＣに設定された外部デバイス２００がＵＳＢ接続されていないことを利用者に通知するための「接続失敗」通知画面を表示装置２２に表示する（ステップ３０４）。
【００６６】
図７は、接続失敗通知画面の表示例を示す図である。この接続失敗通知画面には、「デバイスが接続されていません。」等の文字列が含まれる。
【００６７】
このように、切替確認画面を表示することにより、品質が異なるＵＳＢオーディオからブルートゥースオーディオへの切り替えに際して、事前に利用者による承認を得ることが可能となり、利用者が品質の違いを理解した上で品質が劣るＢＴオーディオの再生を開始することができる。
【００６８】
また、上述した説明では、オーディオ再生動作に先立ってブルートゥースのペアリングを行うようにしたが、ＵＳＢオーディオの再生に失敗した後にペアリングを行うようにしてもよい。
【００６９】
図８は、ＵＳＢオーディオの再生に失敗した後に必要に応じてペアリングを行う変形例を示す流れ図である。図８に示す動作手順は、図４に示す動作手順に対して、ステップ２０２とステップ２０６の間にステップ３１０〜３１８が追加されている点が異なっている。以下では、これらの追加された各ステップに着目して説明を行うものとする。
【００７０】
通信プロトコルがＭＳＣに設定された外部デバイス２００がＵＳＢ接続されておらず、ステップ２０２の判定において否定判断が行われると、次に、ＢＴ処理部６８は、切り替え対象となっている外部デバイス２００のペアリングが終了しているか否かを判定する（ステップ３１０）。ペアリングが終了している場合には肯定判断が行われ、ステップ２０６に移行して、ＵＳＢオーディオからＢＴオーディオ再生部６２によるＢＴオーディオの再生動作に自動的に切り替えられる。
【００７１】
また、ペアリングが終了していない場合にはステップ３１０の判定において否定判断が行われる。次に、ＢＴ処理部６８は、ペアリング確認画面を作成して表示装置２２に表示する（ステップ３１２）。図９は、ペアリング確認画面の表示例を示す図である。このペアリング確認画面には、「ペアリングすればＢＴオーディオの再生が可能です。ペアリングしますか？」等の文字列とともに、「ＹＥＳ」ボタンと「ＮＯ」ボタンが含まれる。
【００７２】
次に、ＢＴ処理部６８は、利用者によってペアリングが指示されたか否かを判定する（ステップ３１４）。利用者によってペアリング確認画面内の「ＹＥＳ」ボタンが選択されると肯定判断が行われ、ＢＴ処理部６８はペアリング設定を行う（ステップ３１６）。その後、ステップ２０６に移行して、ＵＳＢオーディオからＢＴオーディオ再生部６２によるＢＴオーディオの再生動作に自動的に切り替えられる。
【００７３】
また、利用者によってペアリング確認画面内の「ＮＯ」ボタンが選択されるとステップ３１４の判定において否定判断が行われる。この場合には、切替確認部６６（あるいは、再生方法切替部６５やＵＳＢオーディオ再生部６１が行うようにしてもよい）は、通信プロトコルがＭＳＣに設定された外部デバイス２００がＵＳＢ接続されていないことを利用者に通知するための「接続失敗」通知画面（例えば図７）を表示装置２２に表示する（ステップ３１８）。
【００７４】
なお、本発明は上記実施形態に限定されるものではなく、本発明の要旨の範囲内において種々の変形実施が可能である。例えば、上述した実施形態では、ＵＳＢオーディオの再生に失敗した場合にＢＴオーディオの再生に切り替えるようにしたが、通信プロトコルをＭＳＣに設定変更することを促すことでＵＳＢオーディオの再生ができるようにしてもよい。
【００７５】
図１０は、ＵＳＢオーディオの再生に失敗した後に通信プロトコルの設定変更を促すようにした動作手順を示す流れ図である。ＵＳＢオーディオ再生部６１は、利用者によってＵＳＢオーディオの再生が指示されたか否かを判定する（ステップ４００）。例えば、使用者は、操作画面に含まれるＵＳＢオーディオのアイコンを指し示すことにより、あるいは、ＵＳＢオーディオ用に割り当てられた特定の操作キーを押下することにより、ＵＳＢオーディオの再生を指示することができる。利用者によるＵＳＢオーディオの再生指示がなされない場合にはステップ４００の判定において否定判断が行われ、この判定が繰り返される。
【００７６】
また、利用者によるＵＳＢオーディオの再生指示がなされた場合にはステップ４００の判定において肯定判断が行われる。次に、ＵＳＢオーディオ再生部６１は、通信プロトコルがＭＳＣに設定された外部デバイス２００がＵＳＢ接続されているか否かを判定する（ステップ４０２）。接続されている場合には肯定判断が行われ、ＵＳＢオーディオ再生部６１は、外部デバイス２００に格納されたオーディオデータをＭＳＣプロトコルを用いて読み出してオーディオ再生を行う（ステップ４０４）。
【００７７】
一方、通信プロトコルがＭＳＣに設定された外部デバイス２００がＵＳＢ接続されていない場合（例えばＭＴＰに設定されたスマートフォンが接続されている場合）にはステップ４０２の判定において否定判断が行われる。次に、プロトコル変更警告部６７は、現在の設定（例えばＭＴＰ）からＭＳＣへの通信プロトコルの変更を促す警告画面を作成して表示装置２２に表示する（ステップ４０６）。図１１は、プロトコル変更を促す警告画面の表示例を示す図である。この警告画面には、「スマートフォンの設定をＭＴＰからＭＳＣへ変更して下さい。」等の文字列とともに、「ＹＥＳ」ボタンが含まれる。この警告画面が表示されると、通信プロトコルの設定変更を行ってＵＳＢオーディオの再生を開始したいと考える利用者は、外部デバイス２００（スマートフォン）の通信プロトコルを変更した後、「ＹＥＳ」ボタンを押下する（指し示す）ことになる。
【００７８】
次に、ＵＳＢオーディオ再生部６１は、設定変更されたか否か（「ＹＥＳ」ボタンが押下されたか否か）を判定する（ステップ４０８）。利用者によって設定変更された場合には肯定判断が行われ、ステップ４０４に移行してＵＳＢオーディオの再生が開始される。
【００７９】
また、使用者によって設定変更がなされない場合（例えば、警告画面が表示されてから「ＹＥＳ」ボタンが押下されずに所定時間経過した場合）にはステップ４０８の判定において否定判断が行われる。この場合には、ＵＳＢオーディオ再生部６１は、通信プロトコルがＭＳＣに設定された外部デバイス２００がＵＳＢ接続されていないことを利用者に通知するための「接続失敗」通知画面（例えば図７）を表示装置２２に表示する（ステップ４１０）。
【００８０】
このように、異なる通信プロトコルが設定されているために外部デバイス２００を認識できずＵＳＢオーディオの再生を開始できない場合に、通信プロトコルの変更を促すことでＵＳＢオーディオの再生を開始することが可能となる。また、ブルートゥース方式に接続方式を変更する場合に比べて、本来のオーディオ品質でオーディオ再生を行うことが可能となり、オーディオ品質の低下を防止することができる。
【００８１】
また、上述した実施形態では、外部デバイス２００の通信プロトコルがＭＳＣの場合にＵＳＢオーディオの再生を行うようにしたが、外部デバイス２００の通信プロトコルがＭＳＣを含む複数のいずれかに設定されている場合にＵＳＢオーディオの再生を行うようにしてもよい。例えば、オーディオ再生装置１００がＵＳＢ接続に対応してＭＳＣと独自プロトコルをサポートしている場合には、これら２つの通信プロトコルのいずれかの設定がなされた外部デバイス２００が接続された場合にＵＳＢオーディオの再生を行うことができる。したがって、これら２つの通信プロトコル以外の設定がなされた外部デバイス２００がＵＳＢ接続された場合に、ＢＴオーディオ再生への切り替えを行ったり、ＭＳＣあるいは独自プロトコルへの設定変更を促す警告場面を表示したりすればよい。
【産業上の利用可能性】
【００８２】
上述したように、本発明によれば、オーディオ再生を指示した際に、通信プロトコルの設定が異なるためにＵＳＢ接続された外部デバイスが認識できない場合であっても、ブルートゥース接続に切り替えてオーディオ再生を行うことが可能になり、このようなオーディオ再生を行うために必要な煩雑な操作が不要となる。
【００８３】
また、本発明によれば、異なる通信プロトコルが設定されているために外部デバイスを認識できずオーディオ再生を開始できない場合に、通信プロトコルの変更を促すことでオーディオ再生を開始することが可能となる。また、接続方式を変更する場合に比べて、本来のオーディオ品質でオーディオ再生を行うことが可能となり、オーディオ品質の低下を防止することができる。
【符号の説明】
【００８４】
１０  操作部
１２  タッチパネル
２２  表示装置
４０  ＢＴユニット
５０  ＵＳＢユニット
６０  制御部
６１  ＵＳＢオーディオ再生部
６２  ＢＴオーディオ再生部
６３  デバイス情報取得部
６４  デバイス情報格納部
６５  再生方法切替部
６６  切替確認部
６７  プロトコル変更警告部
６８  ＢＴ処理部
１００  オーディオ再生装置
２００  外部デバイス
【図１】
2015176408.tif 000003
【図２】
2015176408.tif 000004
【図３】
2015176408.tif 000005
【図４】
2015176408.tif 000006
【図５】
2015176408.tif 000007
【図６】
2015176408.tif 000008
【図７】
2015176408.tif 000009
【図８】
2015176408.tif 000010
【図９】
2015176408.tif 000011
【図１０】
2015176408.tif 000012
【図１１】
2015176408.tif 000013